(57)【要約】【課題】オーバーサンプリングを行うことなく良好な受信特性が得られるように位相補正を行う。【解決手段】位相誤差補正部３１のキャリア位相誤差検出部３１１は、受信信号におけるトレーニング信号を検波して得た同相成分と直交成分の信号から位相誤差を検出する。位相回転部３１２は、キャリア位相誤差検出部３１１が検出した位相誤差を補正する。位相誤差補正部３２の復調部３２１は、受信信号におけるデータ区間を検波して得た同相成分と直交成分の信号を復調する。位相誤差検出部３２２は、受信信号から位相を算出して、この算出した位相と復調部３２１で復調された受信データから位相差を算出する。さらに、算出した位相差あるいは算出した位相誤差と過去に算出した位相誤差から補正する位相量を決定する。位相回転部３２３は、位相誤差検出部３２２で決定された位相量の補正を行う。【選択図】        図２
2010056630.tif 000002
【特許請求の範囲】
【請求項１】
受信信号を検波して同相成分と直交成分の信号を得る直交検波部と、
前記受信信号のフレームにおける受信同期のための第１の区間を検波して得られた前記同相成分と直交成分の信号から、位相誤差を検出して、該検出した位相誤差を補正する第１の位相誤差補正部と、
前記受信信号のフレームにおける前記第１の区間とは異なる第２の区間を検波して得られて前記第１の位相誤差補正部によって位相補正がなされた前記同相成分と直交成分の信号から、位相誤差を検出して、該検出した位相誤差を補正する第２の位相誤差補正部と
を備える無線通信装置。
【請求項２】
前記第２の位相誤差補正部は、同相成分と直交成分を用いて復調を行うことにより得られた結果と、該同相成分と直交成分の信号から算出した位相との位相差を前記位相誤差とする
請求項１記載の無線通信装置。
【請求項３】
前記第２の位相誤差補正部は、前記位相差と該位相差を算出する前に算出した位相差を用いて前記位相誤差を決定する
請求項２記載の無線通信装置。
【請求項４】
前記第１の位相誤差補正部は、複数サンプルの前記同相成分と直交成分の信号の絶対値から前記位相誤差を検出する
請求項１記載の無線通信装置。
【請求項５】
前記第１の区間はトレーニング信号の区間であり、前記第２の区間はデータ信号の区間である
請求項１記載の無線通信装置。
【請求項６】
前記受信信号は、バックスキャッタ方式における変調された反射波を受信して得た受信信号である
請求項１記載の無線通信装置。
【請求項７】
直交検波部が、受信信号を検波して同相成分と直交成分の信号を得るステップと、
第１の位相誤差補正部が、前記受信信号のフレームにおける受信同期のための第１の区間を検波して得られた前記同相成分と直交成分の信号から、位相誤差を検出して、該検出した位相誤差を補正するステップと、
第２の位相誤差補正部が、前記受信信号のフレームにおける前記第１の区間とは異なる第２の区間を検波して得られて前記第１の位相誤差補正部によって位相補正がなされた前記同相成分と直交成分の信号から、位相誤差を検出して、該検出した位相誤差を補正するステップと
を具備する無線通信方法。
【発明の詳細な説明】
【技術分野】
【０００１】
この発明は、無線通信装置と無線通信方法に関する。詳しくは、受信信号を直交検波して得た同相成分と直交成分の信号を用いて粗い位相補正を行ったのち精度のよい位相補正を行うことで、オーバーサンプリングを行うことなく簡単な構成で、良好な受信特性を得られるようにするものである。
【背景技術】
【０００２】
近年、近距離の無線通信として、極めて消費電力の低い無線伝送路を確立することができるバックスキャッタ方式の無線通信装置が注目されている。このような無線通信装置を用いた例えばＲＦＩＤ(Radio Frequency IDentification)タグシステムでは、近距離の特定周波数帯の無線通信を行うことで、主に商品の識別や管理が行われている。
【０００３】
ＲＦＩＤタグシステムでは、例えば特許文献１に記載されているバックスキャッタ方式を利用した無線通信を行い、タグリーダからのキャリア信号をタグで受信する。タグは、受信したキャリア信号を整流することで直流電力を得るものとして、この直流電力により動作を開始する。さらに、タグは、送信するデータに応じてアンテナインピーダンスを切り替えてキャリア信号の反射を制御することにより、送信するデータに応じて変調された反射波を生成することでデータ送信処理を行う。タグリーダは、変調されている反射波の検波や復調を行うことでタグから送信されたデータを取得する。このようにして、タグリーダはタグ内の情報を読み出すことができる。
【０００４】
このように、バックスキャッタ方式を用いるものとして、無線送信装置を対向させて近距離通信のみに限定すれば、周波数選択性フェージングの影響は無視できるので、無線通信装置に等化器を設ける必要がなく、構成を簡単なものとすることができる。
【０００５】
また、バックスキャッタ方式の無線通信装置は、通信距離を限定するならば、極めて消費電力の低い無線伝送路を確立することができるという特徴を備えていることから、識別・認証情報のように比較的短いデータの通信を行うだけでなく、一般的なデータ伝送、例えばディジタル・カメラ、携帯電話等から、コンピュータ装置、プリンタ、テレビジョン装置などへの画像伝送にも有効である。
【０００６】
バックスキャッタ方式では、情報受信側の無線通信装置から情報送信側の無線通信装置に対してキャリア信号が送信されるので、キャリア同期では、情報受信側の無線通信装置が位相差検出のみを行えばよい。また、位相差検出では、同相成分Ｉと直交成分Ｑの信号から、ミキサに入力するＩＱ復調用のキャリア信号の位相を制御する方法もあるが、構成を比較的簡単とするために遅延検波が用いられている。
【０００７】
図５は、従来のバックスキャッタ方式の無線通信装置の構成を示している。情報受信側の無線通信装置５０は、周波数シンセサイザ５１でキャリア信号を発生して、サーキュレータ５２と位相遅延部５３およびミキサ５５に供給する。サーキュレータ５２は、キャリア信号をアンテナ５４から情報送信側の無線通信装置７０に伝送する。
【０００８】
無線通信装置７０の変調部７１は、アンテナ７２で受信されたキャリア信号を、送信データに基づき変調して反射させる。
【０００９】
無線通信装置５０のサーキュレータ５２は、アンテナ５４からの受信信号をミキサ５５，５６に供給する。ミキサ５５には、周波数シンセサイザ５１からキャリア信号が供給されている。また、ミキサ５６には、周波数シンセサイザ５１からのキャリア信号が位相遅延部５３によって９０度位相シフトされて供給されている。ミキサ５５は受信信号とキャリア信号を乗算して同相成分を示す信号を生成する。ミキサ５６は受信信号と９０度位相シフトされているキャリア信号を乗算することで、直交成分を示す信号を生成する。
【００１０】
ミキサ５５で得られた同相成分を示す信号は、低域通過フィルタ（ＬＰＦ）５７によってキャリア信号成分が除去されたのち、可変利得アンプ５８で所望の信号レベルに増幅されて、受信信号ＳＩとしてシンボル同期部６１とＡ／Ｄ変換部６２に供給される。ミキサ５６で得られた直交成分を示す信号は、低域通過フィルタ（ＬＰＦ）５９によってキャリア信号成分が除去されたのち、可変利得アンプ６０で所望の信号レベルに増幅されて、受信信号ＳＱとしてシンボル同期部６１とＡ／Ｄ変換部６２に供給される。
【００１１】
シンボル同期部６１は、可変利得アンプ５８，６０を介して供給された受信信号ＳＩ，ＳＱからシンボルを検出して、このシンボルに同期した同期信号を生成してＡ／Ｄ変換部６２に供給する。Ａ／Ｄ変換部６２は、シンボル同期部６１から供給された同期信号に基づくタイミングで受信信号ＳＩ，ＳＱのサンプリングを行い、同相成分と直交成分を示すディジタルの受信信号ＤＩ，ＤＱに変換して遅延検波部６３に供給する。
【００１２】
遅延検波部６３は、Ａ／Ｄ変換部６２から供給されたディジタルの受信信号ＤＩ，ＤＱと、１シンボル遅延した受信信号との複素乗算を行って検波出力を得る。この遅延検波部６３で検波処理を行うことにより得られた検波出力は、復調部６４に供給される。復調部６４は、遅延検波部６３から供給された検波出力を用いて復調を行い、得られた受信データを後段の信号処理部（図示せず）に供給する。
【００１３】
【特許文献１】特開２００５−１３６９４３号公報
【発明の開示】
【発明が解決しようとする課題】
【００１４】
ところで、遅延検波を用いる場合、Ａ／Ｄ変換部６２ではオーバーサンプリングで量子化が行われる。しかし、オーバーサンプリングで量子化を行うものとすると、転送速度の倍の処理速度が必要になり無線通信装置の消費電力が大きくなってしまう。また、既に知られているように、遅延検波は同期検波に比較してＳ／Ｎ比が約３ｄＢ劣化してしまう。
【００１５】
そこで、この発明では、容易に良好な受信特性が得られる無線通信装置と無線通信方法を提供するものである。
【課題を解決するための手段】
【００１６】
この発明の第１の側面は、
受信信号を検波して同相成分と直交成分の信号を得る直交検波部と、
前記受信信号のフレームにおける受信同期のための第１の区間を検波して得られた前記同相成分と直交成分の信号から、位相誤差を検出して、該検出した位相誤差を補正する第１の位相誤差補正部と、
前記受信信号のフレームにおける前記第１の区間とは異なる第２の区間を検波して得られて前記第１の位相誤差補正部によって位相補正がなされた前記同相成分と直交成分の信号から、位相誤差を検出して、該検出した位相誤差を補正する第２の位相誤差補正部と
を備える無線通信装置にある。
【００１７】
また、この発明の第２の側面は、
直交検波部が、受信信号を検波して同相成分と直交成分の信号を得るステップと、
第１の位相誤差補正部が、前記受信信号のフレームにおける受信同期のための第１の区間を検波して得られた前記同相成分と直交成分の信号から、位相誤差を検出して、該検出した位相誤差を補正するステップと、
第２の位相誤差補正部が、前記受信信号のフレームにおける前記第１の区間とは異なる第２の区間を検波して得られて前記第１の位相誤差補正部によって位相補正がなされた前記同相成分と直交成分の信号から、位相誤差を検出して、該検出した位相誤差を補正するステップと
を具備する無線通信方法にある。
【００１８】
この発明では、例えばバックスキャッタ方式における変調された反射波を受信して得た受信信号を検波して同相成分と直交成分を示す受信信号が生成される。第１の位相誤差補正部では、受信同期のために設けられているトレーニング信号を検波して得られた複数サンプルの同相成分と直交成分の信号の絶対値から位相誤差が検出されて、この検出した位相誤差が補正される。第２の位相誤差補正部では、受信信号のフレームにおける第１の区間とは異なるデータ区間を検波して得られた同相成分と直交成分の信号を用いて復調を行い、この同相成分と直交成分の信号から算出した位相と復調結果から位相誤差が決定されて、この決定された位相誤差が補正される。また、第２の位相誤差補正部では、算出した位相差と、この位相差を算出する前に算出した位相差を用いて位相誤差が決定される。
【発明の効果】
【００１９】
この発明によれば、受信信号におけるトレーニング信号を直交検波して得られた同相成分と直交成分の信号から位相誤差を検出して、この検出した位相誤差が第１の位相誤差補正部で補正される。さらに、受信信号におけるデータ信号を直交検波して得られた同相成分と直交成分の信号を第１の位相誤差補正部で補正した信号から位相誤差を検出して、この検出した位相誤差が第２の位相誤差補正部で補正される。
【００２０】
したがって、第２の位相誤差補正部から出力される同相成分と直交成分の信号は位相誤差の少ない信号となり、同期検波を用いなくとも、容易に良好な受信特性が得られるようになる。
【発明を実施するための最良の形態】
【００２１】
以下、図を参照しながら、この発明の実施の一形態について説明する。図１は、バックスキャッタ方式の無線通信装置の構成を示している。
【００２２】
情報受信側の無線通信装置１０は、周波数シンセサイザ１１でキャリア信号を発生して、サーキュレータ１２と位相遅延部１４およびミキサ１５に供給する。サーキュレータ１２は、キャリア信号をアンテナ１３から情報送信側の無線通信装置４０のアンテナ４２に伝送する。
【００２３】
無線通信装置４０の変調部４１は、アンテナ４２で受信されたキャリア信号を、送信データに基づき変調して反射させる。変調部４１は、送信データに基づきスイッチのオン／オフ操作を行ってアンテナ負荷インピーダンスを変動させることにより、送信データに応じてキャリア信号が変調された反射波を生成する。
【００２４】
無線通信装置１０のサーキュレータ１２は、アンテナ１３でバックスキャッタ方式における変調された反射波を受信して得た受信信号をミキサ１５，１６に供給する。
【００２５】
位相遅延部１４、ミキサ１５，１６、低域通過フィルタ（ＬＰＦ）１７，１９、シンボル同期部２１およびＡ／Ｄ変換部２２等は、受信信号を検波して同相成分と直交成分のディジタル信号を得る直交検波部を構成するものである。
【００２６】
ミキサ１５には、周波数シンセサイザ１１からキャリア信号が供給されている。また、ミキサ１６には、周波数シンセサイザ１１からのキャリア信号が位相遅延部１４によって９０度位相シフトされて供給されている。ミキサ１５は受信信号とキャリア信号を乗算して同相成分を示す信号を生成する。ミキサ１６は受信信号と９０度位相シフトされているキャリア信号を乗算することで、直交成分を示す信号を生成する。
【００２７】
ミキサ１５で得られた同相成分を示す信号は、低域通過フィルタ（ＬＰＦ）１７によってキャリア信号成分が除去されたのち、可変利得アンプ１８で所望の信号レベルに増幅されて、受信信号ＳＩとしてシンボル同期部２１とＡ／Ｄ変換部２２に供給される。ミキサ１６で得られた直交成分を示す信号は、低域通過フィルタ（ＬＰＦ）１９によってキャリア信号成分が除去されたのち、可変利得アンプ２０で所望の信号レベルに増幅されて、受信信号ＳＱとしてシンボル同期部２１とＡ／Ｄ変換部２２に供給される。
【００２８】
シンボル同期部２１は、可変利得アンプ１８，２０を介して供給された受信信号ＳＩ，ＳＱからシンボルを検出して、このシンボルに同期した同期信号を生成してＡ／Ｄ変換部２２に供給する。Ａ／Ｄ変換部２２は、シンボル同期部２１から供給された同期信号に基づくタイミングで受信信号ＳＩ，ＳＱのサンプリングを行い、同相成分と直交成分を示すディジタルの受信信号ＤＩ，ＤＱに変換して補正処理部３０に供給する。
【００２９】
図２は、補正処理部３０の構成を示している。補正処理部３０は、第１の位相誤差補正部３１と第２の位相誤差補正部３２を用いて構成されている。第１の位相誤差補正部３１は、受信信号のフレームにおける受信同期のための第１の区間を検波して得られた同相成分と直交成分の信号に基づいて粗い位相補正を行う。また、第２の位相誤差補正部３２は、受信信号のフレームにおける第１の区間とは異なる第２の区間を検波して得られて第１の位相誤差補正部３１によって位相補正がなされた同相成分と直交成分の信号に基づき、第１の位相誤差補正部３１よりも高精度に位相補正を行う。
【００３０】
Ａ／Ｄ変換部２２から供給された同相成分の受信信号ＤＩと直交成分の受信信号ＤＱは、位相誤差補正部３１のキャリア位相誤差検出部３１１と位相回転部３１２に供給される。
【００３１】
キャリア位相誤差検出部３１１は、受信信号におけるトレーニング信号を検波して得られた同相成分と直交成分の信号から位相誤差を検出する。図３は、無線通信装置４０から無線通信装置１０に送信される送信信号のフレームフォーマットを例示している。
【００３２】
送信信号は、ＡＧＣ(Auto Gain Control)や受信同期のためのトレーニング信号が設けられたプリアンブル区間Ｆａ、データの先頭を示すシンク区間Ｆｂとデータを示すデータ区間Ｆｃが設けられている。
【００３３】
キャリア位相誤差検出部３１１は、第１の区間であるプリアンブル区間Ｆａのトレーニング信号を直交検波して得た受信信号から、所定のサンプル数を観測して、同相成分と直交成分のそれぞれの平均値から位相誤差を求める。さらにキャリア位相誤差検出部３１１は、算出した位相誤差を位相回転部３１２に供給する。
【００３４】
位相回転部３１２は、位相誤差がなくなるように受信信号ＤＩ，ＤＱの位相を回転させて、位相補正後の受信信号ＤＩａ，ＤＱａを位相誤差補正部３２に供給する。
【００３５】
位相誤差補正部３２の復調部３２１は、位相誤差補正部３１から供給された同相成分の受信信号ＤＩａと直交成分の受信信号ＤＱａにおけるデータ区間の信号から受信データを復調して、その結果を位相誤差検出部３２２に供給する。
【００３６】
位相誤差検出部３２２は、位相誤差補正部３１から供給された受信信号ＤＩａ，ＤＱａにおけるデータ区間の信号に基づいて位相を算出する。また、位相誤差検出部３２２は、算出した位相と復調部３２１で復調された結果から位相誤差を算出する。さらに、位相誤差検出部３２２は、算出した位相誤差と過去に算出した位相誤差から補正する位相量を決定して位相回転部３２３に供給する。
【００３７】
位相回転部３２３は、位相誤差検出部３２２で検出された位相誤差をもとに、位相誤差補正部３１から供給された受信信号ＤＩａ，ＤＱａの位相を回転させて、位相補正後の受信信号ＤＩｂ，ＤＱｂを、図１に示す復調部３５に供給する。復調部３５は、補正処理部３０で精度よく位相誤差の補正がなされた受信信号を用いて復調を行い、得られた受信データを後段の信号処理部（図示せず）に供給する。
【００３８】
次に、無線通信装置１０における補正処理部３０の動作について説明する。位相誤差補正部３１のキャリア位相誤差検出部３１１は、プリアンブル区間Ｆａのトレーニング信号を直交検波して得た受信信号から、所定のサンプル数を観測して、同相成分と直交成分のそれぞれの平均値から位相誤差を求める。なお、無線通信装置１０，４０においてプリアンブルの変調に用いる方式は、位相誤差の検出が容易となるように、例えばＢＰＳＫ（Binary Phase Shift Keying）もしくはＱＰＳＫ（Quadrature Phase Shift Keying）とする。
【００３９】
キャリア位相誤差検出部３１１は、トレーニング信号の受信信号をＮサンプル用いるものとする。また、キャリア位相誤差検出部３１１に供給された受信信号ＤＩの信号レベルをｘk（k＝１，・・・，N）、キャリア位相誤差検出部３１１に供給された受信信号ＤＱの信号レベルをｙk（k＝１，・・・，N）としたとき、キャリア位相誤差検出部３１１は、式（１）の演算を行い、位相誤差φを算出する。
【００４０】
【数１】
2010056630.tif 000003
なお、式（１）において「ｒ」は位相の基準値である。ＢＰＳＫでは、位相オフセットが「０°」であれば、基準値ｒは「ｒ＝０°」となる。またＱＰＳＫでは、位相オフセットが「４５°」であれば、基準値ｒは「ｒ＝４５°」となる。
【００４１】
キャリア位相誤差検出部３１１は、式（１）を用いて算出した位相誤差φを位相回転部３１２に供給して、位相誤差φがなくなるように受信信号ＤＩ，ＤＱの位相を位相回転部３１２で回転させる。なお、プリアンブルの変調方式としてＢＰＳＫが用いられている場合、「０°」または「１８０°」のいずれに位相が回転しているかを、シンク区間Ｆｂのシンク信号の例えばパターン検出結果に基づいて判別する。また、プリアンブルの変調方式としてＱＰＳＫが用いられている場合も同様にして、「４５°」「１３５°」「２２５°」「３１５°」のいずれに位相が回転しているか判別できる。
【００４２】
また、トレーニング信号として最小波長以上の信号を用いるものとして、上述のように位相誤差を算出すれば、トレーニング信号に同期して１つのサンプルを選択して位相誤差を算出しなくとも、トレーニング信号から非同期で複数サンプルを用いて位相誤差を算出することができる。
【００４３】
次に、位相誤差補正部３２は、位相誤差補正部３１から出力された位相誤差の補正がなされた受信信号ＤＩａ，ＤＱａ信号を用いて、さらに位相誤差の補正を行う。
【００４４】
位相誤差補正部３２の復調部３２１は、受信信号ＤＩａ，ＤＱａを用いて受信シンボルの復調を行い、その結果を位相誤差検出部３２２に供給する。位相誤差検出部３２２は、受信信号ＤＩａ，ＤＱａから位相を算出して、この算出した位相と復調部３２１で復調された受信データから位相差を算出する。さらに、位相誤差検出部３２２は、算出した位相差あるいは算出した位相差と過去に算出した位相差から補正する位相量を決定する。ここで、時刻ｋにおいて、受信信号ＤＩａ，ＤＱａから位相を算出して、この算出した位相と復調部３２１で復調された受信データから算出される位相差を「θk」を算出する。位相誤差検出部３２２は、式（２）の演算を行い、補正する位相誤差φkを決定する。
【００４５】
【数２】
2010056630.tif 000004
なお、式（２）において、「ｎ」は算出に用いるサンプルの数である。
【００４６】
また、式（２）において、「β」は忘却係数である。この忘却係数βを小さくすれば式（２）の第一項の瞬時値に即した位相誤差φkが決定される。また、忘却係数βを大きくすれば、式（２）の第二項の過去に算出された位相差に即した位相誤差φkが決定されることになる。すなわち、忘却係数βを小さくすれば、位相の時間変動に対して追従性のよい位相補正を行うことが可能となる。また、忘却係数βを大きくすれば、ノイズ等の影響を受けにくい位相補正を行うことが可能となる。
【００４７】
位相回転部３２３は、位相誤差φkがなくなるように位相誤差補正部３１から供給された受信信号ＤＩａ，ＤＱａの位相を回転させて、位相補正後の受信信号ＤＩｂ，ＤＱｂを、図１に示す復調部３５に供給する。
【００４８】
このように、位相誤差補正部３２では、復調部３２１で判定された受信シンボルの位相と、位相誤差補正部３１から供給された受信信号ＤＩａ，ＤＱａに基づいて算出した位相に基づいて算出した位相差θkおよび過去に算出された位相差θi（ｉ＝ｋ−ｎ，・・・，ｋ−１）を用いて位相誤差φkを決定する。さらに、位相誤差φkがなくなるように位相を回転させれば、位相誤差補正部３２から出力される受信信号ＤＩｂ，ＤＱｂは位相誤差がさらに少ないものとなる。
【００４９】
図４は、受信信号のコンスタレーションを示している。なお、図４の（Ａ）は位相誤差補正部３２から出力された受信信号ＤＩｂ，ＤＱｂに基づくコンスタレーション、図４の（Ｂ）は従来の無線通信装置における遅延検波部６３から出力された受信信号ＤＩｄ，ＤＱｄに基づくコンスタレーションをそれぞれ示している。この図４では、位相誤差補正部３１と位相誤差補正部３２で位相補正を行うことにより、従来の遅延検波を用いる場合に比べて位相誤差が少なくなっていることが明確に示されている。
【００５０】
このように、位相誤差補正部３１は、受信信号におけるトレーニング信号を検波して得られた同相成分と直交成分の信号から位相誤差を検出して、この検出した位相誤差を補正する。また位相誤差補正部３２は、受信信号におけるデータ信号を検波して得られた同相成分と直交成分の信号を位相誤差補正部３２で補正した信号から位相誤差を検出して、この検出した位相誤差を補正する。したがって、キャリア同期において、位相補正の精度を高めるためにオーバーサンプリングを行う必要がなく、また、遅延検波を用いた場合のようなＳ／Ｎ比の劣化も生じることなく、精度よい位相補正を行うことができる。さらに、無線通信装置がバックスキャッタ方式で無線通信を行う場合、本願発明を用いて位相誤差の補正を行うだけで、良好に無線通信を行うことができる。
【００５１】
なお、本発明は、上述した発明の実施の形態に限定して解釈されるべきではない。この発明の実施の形態は、例示という形態で本発明を開示したものであり、本発明の要旨を逸脱しない範囲で当業者が、この実施の形態の修正や代用をなし得ることは自明である。すなわち、本発明の要旨を判断するためには、特許請求の範囲を参酌すべきである。
【産業上の利用可能性】
【００５２】
この発明によれば、第１の位相誤差補正部では、受信信号のフレームにおける受信同期のための第１の区間を検波して得られた同相成分と直交成分の信号から、位相誤差を検出して、該検出した位相誤差を補正する処理が行われる。また、第２の位相誤差補正部では、受信信号のフレームにおける第１の区間とは異なる第２の区間を検波して得られて第１の位相誤差補正部によって位相補正がなされた前記同相成分と直交成分の信号から、位相誤差を検出して、該検出した位相誤差を補正する処理が行われる。このため、バックスキャッタ方式で無線通信を行う場合のように、キャリア同期として位相差検出のみを行う無線通信装置に好適である。
【図面の簡単な説明】
【００５３】
【図１】無線通信装置の構成を示す図である。
【図２】補正処理部の構成を示す図である。
【図３】送信データのフレームフォーマットを示す図である。
【図４】コンスタレーションを示す図である。
【図５】従来の無線通信装置の構成を示す図である。
【符号の説明】
【００５４】
１０，４０，５０、７０・・・無線通信装置、１１，５１・・・周波数シンセサイザ、１２，５２・・・サーキュレータ、１３，４２，５４，７２・・・アンテナ、１４，５３・・・位相遅延部、１５，１６，５５，５６・・・ミキサ、１７，１９，５７，５９・・・低域通過フィルタ（ＬＰＦ）、１８，２０，５８，６０・・・可変利得アンプ、２１，６１・・・シンボル同期部、２２，６２・・・Ａ／Ｄ変換部、３０・・・補正処理部、３１，３２・・・位相誤差補正部、３５，６４，３２１・・・復調部、４１，７１・・・変調部、６３・・・遅延検波部、３１１・・・キャリア位相誤差検出部、３１２，３２３・・・位相回転部、３２２・・・位相誤差検出部
【図１】
2010056630.tif 000005
【図２】
2010056630.tif 000006
【図３】
2010056630.tif 000007
【図４】
2010056630.tif 000008
【図５】
2010056630.tif 000009